(57)【要約】【課題】持ち上げた場合でも、木製天板と袖机との取付強度を有し好適に移動することのできる机を提供する。【解決手段】木製天板１と支持部材２とを固定する取付部材３が、前記木製天板１を載置する天板載置面３ｆ１とこの天板載置面３ｆ１の裏面側に下方より外力を加え得る下向き支持面３ｆ２とを備え、この下向き支持面３ｆ２に下方から外力Ｐを加えることにより取付部材３を持ち上げて、木製天板１を付帯させた状態で支持部材２を移動可能にした。【選択図】図５
2004016494.tif 000002
【特許請求の範囲】
【請求項１】
木製天板と、この木製天板を下方から支持する支持部材と、これら木製天板と支持部材とに介在しこれらを固定する取付部材とを具備する机であって、取付部材が、前記木製天板を載置する天板載置面とこの天板載置面の裏面側に下方より外力を加え得る下向き支持面とを備え、この下向き支持面に下方から外力を加えることにより取付部材を持ち上げて、木製天板を付帯させた状態で支持部材を移動可能にしていることを特徴とする机。
【請求項２】
前記取付部材が、木製天板と支持部材とを離間させて位置付ける離間要素を具備し、この離間要素によって木製天板と支持部材との間に外方に向けて開放された手差し空間を形成し、この手差し空間内に前記下向き支持面を配置していることを特徴とする請求項１記載の机。
【請求項３】
前記手差し空間が、該机の奥行き方向へ連続的に伸びる手掛け溝であることを特徴とする請求項２記載の机。
【請求項４】
木製天板の側面と支持部材の外側面とを略同一面に位置付けて配置していることを特徴とする請求項１、２又は３記載の机。
【請求項５】
前記支持部材が袖机であることを特徴とする請求項１、２、３又は４記載の机。
【請求項６】
前記木製天板が、下方から取り付けた鬼目ナットを具備し、この鬼目ナットを利用して木製天板と取付部材とを取り付けていることを特徴とする請求項１、２、３、４又は５記載の机。
【発明の詳細な説明】
【０００１】
【発明の属する技術分野】
本発明は、オフィスなどで好適に使用される机に関するものである。
【０００２】
【従来の技術】
従来、オフィス内等で使用する机の天板には、板金等を折り曲げて形成したスチール製のものが多く用いられてきたが、近年、ユーザのニーズが多様化し、高級感や質感に優れる木製の天板が多く好まれて使用されている。このような木製天板には、天板の裏面から打ち込んだりねじ込んだりして取り付けた袖机等と固定するための鬼目ナットが、その取付部分が天板面に露出しないように設けられており、この鬼目ナットを利用して天板と袖机と取り付けて机を構成するようになされている。
【０００３】
【発明が解決しようとする課題】
しかしながら、以上のような構成では、天板と袖机との間にはしっかりと手を掛けて持ち上げられるような空間は設けられてなく、このため、机を移動する際には袖机の引出しを開けて、開けたところの天板に手を掛けて天板を持ち上げて移動しなければならなかった。このように、袖机の荷重が直接天板に加わる状態になると、天板と袖机とを固定している天板の鬼目ナットに袖机の荷重が集中してかかり、鬼目ナットが天板から抜け落ちてしまうといった問題点があった。また、移動中に開けていた引出しが閉まり手が挟まれてケガをしてしまうといった問題点も生じていた。
【０００４】
そこで本発明は、上述した課題を解決し、持ち上げた場合でも天板と袖机との取付強度を有し、任意の位置へ好適に移動可能な机の提供を主たる目的とするものである。
【０００５】
【課題を解決するための手段】
すなわち、本発明に係る机は、木製天板と、この木製天板を下方から支持する支持部材と、これら木製天板と支持部材とに介在しこれらを固定する取付部材とを具備する机であって、取付部材が、前記木製天板を載置する天板載置面とこの天板載置面の裏面側に下方より外力を加え得る下向き支持面とを備え、この下向き支持面に下方から外力を加えることにより取付部材を持ち上げて、木製天板を付帯させた状態で支持部材を移動可能にしていることを特徴とする。
【０００６】
このようなものであれば、取付部材の下向き支持面に下方から外力を加えることにより取付部材とこの取付部材に取り付けられた支持部材とを一体的に持ち上げ得ることができ、また、取付部材の天板載置面に載置された木製天板を、取付部材を介して支持部材と同時に持ち上げることができる。このように、袖机と木製天板とを持ち上げた場合でも、木製天板は実質的に支持部材に載置されているだけであり、直接木製天板には持ち上げ時の荷重が作用しないため、木製天板に荷重が作用して鬼目ナットが抜け落ちるといった不具合が生じる恐れも全く無く、これらを好適に移動することができる。
【０００７】
なお、好適に机を持ち上げ得るには、木製天板と支持部材とを離間させて位置付ける離間要素を具備し、この離間要素によって木製天板と支持部材との間に外方に向けて開放された手差し空間を形成し、この手差し空間内に前記下向き支持面を配置していることが望ましく、さらに、前記手差し空間が、該机の奥行き方向へ連続的に伸びる手掛け溝であることが好ましい。
【０００８】
また、支持部材間の間口を広く取り机として好適に使用できるとともに外観を向上させるためには、木製天板の側面と支持部材の外側面とを略同一面に位置付けて配置していることが望まれる。
【０００９】
なお、本実施形態の支持部材に、通常では木製天板を持ち上げた場合脱落する恐れのある重い袖机を適用しても、上述の通り、木製天板ではなく袖机を持ち上げることになるので、木製天板と袖机とを分離させずに好適に持ち運びできるようになる。
【００１０】
また、木製天板の具体的な実施態様としては、前記木製天板が、下方から取り付けた鬼目ナットを具備するものとして、この鬼目ナットを利用して木製天板と取付部材とを取り付けているものとが挙げられるが、このように、従来と同様の取付方法で木製天板に鬼目ナットを取り付けても、木製天板と支持部材との間に大きな取付強度を得ることができる。
【００１１】
【発明の実施の形態】
以下、本発明の一実施形態について図面を参照して説明する。
【００１２】
本実施形態に係る机Ｄは、図１にその斜視図を示すように、幅方向に長手寸法を有する平面視略長方形状の木製天板１と、この木製天板１の両側を下方から支持する一対の支持部材たる袖机２とを主な構成要素とするものであって、これら木製天板１と袖机２とは、図２に示すように、袖机２の頂板に取り付けた取付部たるアウトスペーサ３と、図３に示すように、木製天板１の裏面の前記アウトスペーサ３と対応する部位にそれぞれ取り付けた一対をなす被取付部たるインスペーサ４と、両袖机２同士の離間距離を決定する支持部材間距離決定部材たるフレーム５とを介して取り付けられている。なお、本実施形態において、使用端側を前側、反使用端側を後側と定義して説明する。
【００１３】
以下、各部について具体的に説明する。
【００１４】
木製天板１は、天板心材にパーチクルボードを使用し、表面たる天板化粧板面１１にメラミン樹脂を貼り付け、さらに天板外側面１２ｓ等の木製天板１の木口１２にはオレフィン樹脂を貼り付けた構成とし、さらにその天板裏面１３には、前記インスペーサ４を取り付け得る位置に鬼目ナットＮ１を設け、フレーム５を取付け得る位置に鬼目ナットＮ２を設け、さらに他の支持部材たる脚等を取り付け得る位置に鬼目ナットＮ３を設けている。なお、本実施形態において、この木製天板１の左側の奥行き寸法を右側の奥行き寸法より大きく形成して外観を向上させ、さらに、左右及び中央の後側には一部円弧状を有するように凹ませたダクトキャップ受部１４ａ、１４ｂ、１４ｃを設け、このダクトキャップ受部１４ａ、１４ｂ、１４ｃから天板下に配線を落とし込み、しかるのちダクトキャップＤａ、Ｄｂ、Ｄｃで該ダクトキャップ受部１４ａ、１４ｂ、１４ｃを隠蔽して外観を向上し得るように設定している。
【００１５】
袖机２は、物品を収納可能な上下寸法の異なる３段の引出し２ａ、２ｂ、２ｃと、これら引出し２ａ、２ｂ、２ｃを出し入れ可能に保持する袖机本体２１と、この袖机本体２１の各隅部に床Ｆと接して木製天板１の天板面における水平レベル調整が可能な接地部材たるアジャスタＡを備えるものであって、中央部を側面視部分円弧状をなすように前側にやや膨出させた略立方体形状を有している。
【００１６】
より具体的には、引出し２ａ、２ｂ、２ｃは、図示しない上方に開口する直方体状の収納部と、この収納部の前面に取り付けた鏡板２ａ１、２ｂ１、２ｃ１とを具備している。
【００１７】
袖机本体２１は、図示しない薄板金属板を素材としアジャスタＡを下方から取付け得る図示しないアジャスタ取付部を各隅部に設けた平面視略長方形状の袖机底板２１１と、その袖机底板２１１の左右各側縁からそれぞれ一体に屈曲起立させた一対の袖机側板２１２と、同様に前記袖机底板２１１の後縁から起立させた袖机後板２１３と、左右一対の袖机側板２１２及び袖机後板２１３に横架させた袖机頂板２１４とからなる略立方体形状をなすもので、引出し２ａ、２ｂ、２ｃを出し入れ可能に保持できるよう、その前方は開口させてある。また、袖机頂板２１４には、その袖机側板２１２両側端部近傍に上方からネジを用いてアウトスペーサ３を取り付けられるようそれぞれ３個のアウトスペーサ配備用めねじ要素２１４ｘを設けるとともに、その袖机後板２１３側端部近傍に上方からネジを用いてフレーム５を取り付けられるようフレーム取付用めねじ要素２１４ｙを２箇所設けている。なお、本実施形態では、袖机頂板２１４にその裏面側からネジを上方へ向かって差し込んで補助的にフレーム５を固定できるように、前記フレーム取付用めねじ要素２１４ｙの間にフレーム取付用補助貫通孔２１４ｚを設けている。
【００１８】
アウトスペーサ３は、前記袖机２の頂板に取り付ける平面視略長方形状の袖机取付基板３１と、互いに内側を向くとともに所定間隔離間した一対の内向き起立面３２ａを有するように前記袖机取付基板３１の左右各側縁からそれぞれ一体に屈曲起立させた起立要素たる側起立板３２と、同様に前記袖机取付基板３１の前縁から起立させた前起立板３３とを備え、さらに、これら側起立板３２と前起立板３３との先端部を、略水平面を有するように外側に向けて一体に折り曲げてフランジ３ｆを構成するように、１枚の板金素材を折り曲げ加工して形成したものである。また、フランジ３ｆの上向き面には天板裏面１３と当接しこの木製天板１を載置し得る天板載置面３ｆ１を形成すとともに下向き面には指等を挿入し下方から外力Ｐを加え得る下向き支持面３ｆ２を形成するように構成している。さらに、袖机取付基板３１における両側起立板３２の基端縁近傍には、前記袖机２に固定するための袖机取付孔３１ｘをそれぞれ３箇所設けるとともに、両側起立板３２の内側前方及び後方にはインスペーサ４を固定するためのインスペーサ取付孔３２ｘを設けている。このように構成されるアウトスペーサ３の側起立板３２とフランジ３ｆとが、木製天板１と袖机２とを離間させて位置付け得るとともに、側起立板３２の外側とフランジ３ｆの下側とに外部に開口する手差し空間３０を形成し、離間要素３ｘとしての機能を発揮している。
【００１９】
インスペーサ４は、該インスペーサ４を前記天板裏面１３に取り付けるための天板取付貫通孔４１ｘを３箇所有し奥行き方向に長手寸法を有する平面視略矩形状の天板取付基板４１と、この天板取付基板４１の一側縁から一体に屈曲起立させるとともに外側から取付ネジＭＭを利用してアウトスペーサ３を固定し得るアウトスペーサ取付用めねじ要素４２ｘをその内側に２箇所設けた起立要素たる起立片４２と、さらにこの起立片４２の先端縁を内側に一体に屈曲させ前記天板取付基板４１と略水平をなすように設けた一対の水平片４３とを備えるよう、１枚の板金素材を折り曲げ加工して断面視略「匚」字形状に形成されるインスペーサ４Ｌ部材と、このインスペーサ４Ｌ部材と同様の部位を有し木製天板１の幅方向に対応するよう断面視略「コ」字形状に形成されるインスペーサ４Ｒ部材との一対をなす部材で構成されるものであって、インスペーサ４Ｌ部材の起立片４２の外向き起立面４２ａとインスペーサ４Ｒ部材の起立片４２の外向き起立面４２ａとが、前記アウトスペーサ３の一対の内向き起立面３２ａの間で嵌合されるように、インスペーサ４Ｌ部材の開口部４Ｌｘとインスペーサ４Ｒ部材の開口部４Ｒｘとを互いに対面させて配置している。
【００２０】
フレーム５は、机Ｄの幅方向に長手寸法を有しする断面視略矩形状の角パイプであって、その左右下端部には、袖机２の内側の側板と当接する切欠起立面５ａ１、５ｂ１を有するように袖机２の幅寸法と略等しく両端面から切り欠いた左右対称の袖机取付部５ａ、５ｂを設けるとともに、上向き面５１の両側にはそれぞれ、上下に貫通し袖机２を固定するための２箇所の袖連結孔５ｘと、補助的に天板を固定するための１箇所の天板連結孔５ｙとを設けている。そして、このフレーム５には、その両端面からフレームキャップ５０を嵌入することによりフレーム５の両端部５１ａ、５１ｂの外観を向上させている。なお、このフレームキャップ５０には、前記袖連結孔５ｘ及び天板連結孔５ｙと対応する位置にそれぞれキャップ取付貫通孔５０ｘを設け、木製天板１及び袖机２とにフレーム５を介してネジ止めして取り付けられるようにしている。
【００２１】
以上のように構成される机Ｄの組立方法を、以下に説明する。
【００２２】
まず、図２に示すように、各々の袖机２が具備する袖机底板２１１のアジャスタ取付部にアジャスタＡを嵌め込んで取り付ける。
【００２３】
次に、袖机２にアウトスペーサ３を載せ、そして、袖机２に設けたアウトスペーサ配備用めねじ要素２１４ｘに上方からアウトスペーサ３の袖机取付孔３１ｘを介してネジＭ１を差し込んでこれら各部を固定する。
【００２４】
さらに、フレーム５の袖机取付部５ａ、５ｂを両袖机２に載せ、このフレーム５の切欠起立面５ａ１、５ｂ１を袖机本体２１の袖机側板２１２に当接させるとともにフレームキャップ５０を差し込み、上方よりサラビスＭ２を用いて、フレーム５の袖連結孔５ｘとフレームキャップ５０のキャップ取付貫通孔５０ｘと袖机２のフレーム取付用めねじ要素２１４ｙとを取り付ける。
【００２５】
一方、図３に示すように、天板裏面１３に備えた鬼目ナットＮ１利用して、インスペーサ４Ｌ部材の起立片４２の外向き起立面４２ａとインスペーサ４Ｒ部材の起立片４２の外向き起立面４２ａとが、前記アウトスペーサ３の一対の内向き起立面３２ａの間で嵌合されるように、木製天板１にインスペーサ４をインスペーサ取付ネジＫＮを用いてネジ止めする。
【００２６】
このようにインスペーサ４が取り付けられた木製天板１のインスペーサ４を、図４に示すように、インスペーサ４に設けた一対の外向き起立面４２ａとアウトスペーサ３に設けた一対の内向き起立面３２ａとが当接して嵌合部Ｘを形成するように、袖机２の袖机頂板２１４に取り付けられているアウトスペーサ３に嵌め込んだのち木製天板１を後側へ押し込み、インスペーサ４の後向き面４ｘをフレーム５の前向き面５ａに突き当てて、木製天板１と袖机２とを位置付ける。しかして、図５に示すように、インスペーサ４のアウトスペーサ取付用めねじ要素４２ｘとアウトスペーサ３のインスペーサ取付孔３２ｘとが水平方向に重合することとなり、これらアウトスペーサ取付用めねじ要素４２ｘとインスペーサ取付孔３２ｘとを水平方向から取付ネジＭＭを用いてネジ止めして、木製天板１と袖机２とを取り付けて組み立てを完了する。
【００２７】
なお、本実施形態では、組立を完了した状態からさらに天板裏面１３に設けた鬼目ナットＮ１に、袖机頂板２１４に設けたフレーム取付用補助貫通孔２１４ｚとフレーム５に設けた天板連結孔５ｙとを介して図示しない補助連結ネジを差し込み、木製天板１とフレーム５と袖机２とを補助的に固定するようにした。なお、このように木製天板１とフレーム５と袖机２とを固定している補助連結ネジはあくまで補助的なものであり、無論この補助連結ネジを不用とすることもできる。
【００２８】
以上のように組み立てられた机Ｄを移動する方法を次に説明する。
【００２９】
まず、図５に示すように、机Ｄの両側において、木製天板１と袖机２との間に形成された手差し空間３０の奥行き方向に伸びる手掛け溝Ｍに指を挿入し、アウトスペーサ３の下向き支持面３ｆ２に指を掛け、さらに、この下向き支持面３ｆ２の下方から持ち上げる外力Ｐを加える。すると、アウトスペーサ３を取り付けている袖机２を容易に持ち上げることができる。また、このとき、木製天板１はアウトスペーサ３の天板載置面３ｆ１に載せられた状態で取り付けられているといった袖机２に付帯させられた状態にあり、アウトスペーサ３を持ち上げて机Ｄを移動した場合には、結局、木製天板１を載せた袖机２を持ち上げて移動することになるため、アウトスペーサ３を取り付けている鬼目ナットＮ１には直接荷重が作用することはない。すなわち、鬼目ナットＮ１が木製天板１から抜け落ちるといった問題も全く生じることなく、袖机２と木製天板１とがしっかりと固定された状態で移動することができる。
【００３０】
以上のように、このような机Ｄであれば、木製天板１を裏返して袖机２を取り付けるといった作業を強いられることなく、袖机２の上に木製天板１を載せ、そしてこれら袖机２と木製天板１とに取り付けている対をなす取付部材を介して略水平方向からねじ止めできるなど、木製天板１と袖机２等とを立ち組みで組み立て可能であり、非常に簡単に組み立てることができる。
【００３１】
また、通常、木製天板１の側面よりやや内側に配置される袖机２の外側面２１２を、木製天板１の天板側面１２と略面一に位置付けて配置したことにより、袖机２間の間隔を広く取ることができ、使用者にとって大変使い勝手のよいものとなるとともに、その外観上も優れたものとすることができる。
【００３２】
なお、本発明は、以上に詳述した実施形態に限られるものではない。
【００３３】
例えば、本実施形態では、天板心材にパーチクルウッドを用いその表面にメラミン樹脂を貼り付けて木製天板１を構成するようにしたが、これに限らず、例えば、無垢の素材等で構成してもよい。また、木製天板１の形状等は、本実施形態に限られるものでないことは言うまでもない。
【００３４】
また、本実施形態では、両側に配置した袖机２で支持部材を構成し木製天板１を支持するようにしていたが、支持部材を袖机２と脚とで構成し木製天板１を支持するなど他の実施態様も考えられる。
【００３５】
さらに、本実施形態では、一対のインスペーサ４で外向き起立面４２ａを構成するようにしていたが、この一対のインスペーサ４を一体のものとして該一体のインスペーサ４が外向き起立面４２ａを有するように構成してもよい。
【００３６】
なお、アウトスペーサ３とインスペーサ４との取り付け方法は、図６に示すように、アウトスペーサ３の側起立板３２から切り起した切起し舌片３ｚを設けるとともにインスペーサ４の起立片４２に前記切起し舌片３ｚと係合し得る係合孔４ｚを設け、これら切起し舌片３ｚと係合孔４ｚとを係合させて、取付ネジＭＭを用いずに木製天板１と袖机２とを取り付けるようにしてもよい。
【００３７】
その他本発明は以上に詳述した図示例に限られず、種々の変形が可能である。
【００３８】
【発明の効果】
以上に詳述したように本発明によれば、取付部材の下向き支持面に下方から外力を加えることにより取付部材とこの取付部材に取り付けられた支持部材とを一体的に持ち上げ得ることができ、また、取付部材の天板載置面に載置された木製天板を、取付部材を介して支持部材と同時に持ち上げることができる。このように、袖机と木製天板とを持ち上げた場合でも、木製天板は実質的に支持部材に載置されているだけであり、直接木製天板には持ち上げ時の荷重が作用しないため、木製天板に荷重が作用して鬼目ナットが抜け落ちるといった不具合が生じる恐れも全く無く、これらを好適に移動可能な机を提供することができる。
【図面の簡単な説明】
【図１】本発明の実施形態における机の斜視図。
【図２】同実施形態におけるアウトスペーサを設けた袖机とフレームとの取付構造を示す部分分解斜視図。
【図３】同実施形態における木製天板とインスペーサとの取付構造を示す部分分解斜視図。
【図４】同実施形態におけるアウトスペーサとインスペーサとの取付構造を示す部分分解斜視図。
【図５】同実施形態におけるアウトスペーサとインスペーサとの取付構造を示す取付構造断面図。
【図６】本発明の他の実施形態におけるアウトスペーサとインスペーサとの取付構造を示す部分分解斜視図。
【符号の説明】
１・・・木製天板
２・・・支持部材（袖机）
３・・・取付部材（アウトスペーサ）
１２ｓ・・・木製天板の側面（天板外側面）
３０・・・手差し空間
３ｘ・・・離間要素
３ｆ１・・・天板載置面
３ｆ２・・・下向き支持面
２１２・・・支持部材の側面（袖机側板）
Ｄ・・・机
Ｍ・・・手掛け溝
Ｐ・・・外力
Ｎ１・・・鬼目ナット
【図１】
2004016494.tif 000003
【図２】
2004016494.tif 000004
【図３】
2004016494.tif 000005
【図４】
2004016494.tif 000006
【図５】
2004016494.tif 000007
【図６】
2004016494.tif 000008